(57)【要約】【課題】脳磁計で得られた計測データを解析するにあたり、生体信号の経時的変化を示す波形の幅を大きくすれば波形の一覧性は改善する。しかし、波形を表示する波形表示領域を大きくすると、生体信号の分布を示す分布表示領域の全部又は一部が非表示となる可能性が考えられる。解析者等が、生体信号の波形の表示と生体信号の分布とを比較して解析を行う場合、非表示となった全部又は一部の分布表示領域を、その都度表示する操作が必要となり操作性が悪い。【解決手段】情報処理装置は、波形表示領域及び分布表示領域を表示可能とし（Ｓ５００）、波形表示領域に表示されている波形の所定位置を選択する入力情報を受け付けると、分布表示領域が非表示状態のときは入力情報に基づく分布表示領域を表示し（Ｓ５０３）、分布表示領域が表示状態のときは入力情報の受付前の分布表示領域の分布を入力情報に基づく分布に更新して表示する（Ｓ５０４）。【選択図】図１４
2019118541.tif 000002
【特許請求の範囲】
【請求項１】
生体信号の経時的変化を示す波形を表示させる波形表示領域と、
前記生体信号の分布を示す分布表示領域と、
を表示可能な情報処理装置であって、
前記波形表示領域に表示されている波形の所定位置を選択する入力情報を受け付けると、前記分布表示領域が非表示状態のときは当該入力情報に基づく前記分布表示領域を表示し、前記分布表示領域が表示状態のときは当該入力情報の受付前の前記分布表示領域の分布を当該入力情報に基づく分布に更新して表示すること、
を特徴とする情報処理装置。
【請求項２】
前記分布表示領域は、第１分布表示領域と第２分布表示領域とを有し、
前記波形表示領域に表示されている波形の所定位置における入力情報を受け付けると、前記第一表示領域が非表示状態のときは当該第１分布表示領域を非表示且つ当該入力情報に基づく前記第２分布表示領域を表示し、前記第１分布表示領域が表示状態のときは第２分布表示領域を非表示且つ当該入力情報の受付前の前記第１分布表示領域の分布を当該入力情報に基づく分布に更新して表示すること
を特徴とする請求項１に記載の情報処理装置。
【請求項３】
前記第２分布表示領域を表示するときは、さらに前記所定位置における波形を拡大した拡大波形を表示する第２波形表示領域を表示することを特徴とする請求項２に記載の情報処理装置。
【請求項４】
前記波形表示領域には、複数の波形が上下方向に並列配置して表示し、
前記第２分布表示領域を表示するときは、さらに前記所定位置における複数の波形を重ね合わせて表示する第２波形表示領域を表示すること
を特徴とする請求項２に記載の情報処理装置。
【請求項５】
前記第２波形表示領域に表示されている波形の所定位置を選択する入力情報を受け付けると、
前記第２分布表示領域と前記第２波形表示領域とを閉じるとともに、前記第１分布表示領域と前記所定位置における波形を拡大した拡大波形を表示する第２拡大波形表示領域を表示すること
を特徴とする請求項３又は４に記載の情報処理装置。
【請求項６】
前記第２分布表示領域を表示した後、前記波形表示領域に表示されている波形の別の位置における入力情報を受け付けると、前記第２分布表示領域の表示を更新して表示することを特徴とする請求項３又は４に記載の情報処理装置。
【請求項７】
前記第２分布表示領域は、前記波形表示領域の波形上に重ねて表示するとともに、前記第１分布表示領の表示位置よりも選択した波形の所定位置に近い位置に表示されることを特徴とする請求項２に記載の情報処理装置。
【請求項８】
前記第２波形表示領域は、当該第２波形表示領域に表示される波形の所定位置を示す指示部が表示され、
前記指示部を前記波形の時間軸方向に移動すると、これに連動して前記第２分布表示領域の表示状態が更新されて表示されること
を特徴とする請求項３又は４に記載の情報処理装置。
【請求項９】
前記波形表示領域には、表示される波形の指定された箇所を表示するアノテーションが表示可能であり、
前記選択された波形の位置が、前記アノテーションを含むとき、前記分布表示領域が非表示状態のときは当該入力情報に基づく前記分布表示領域を表示し、前記分布表示領域が表示状態のときは当該入力情報の受付前の前記分布表示領域の分布を当該入力情報に基づく分布に更新して表示し、
前記選択された波形の位置が、前記アノテーションを含まないとき、前記分布表示領域が非表示状態のときは当該入力情報に基づく前記分布表示領域を表示せず、前記分布表示領域が表示状態のときは当該入力情報の受付前の前記分布表示領域の分布を当該入力情報に基づく分布に更新して表示する
ことを特徴とする請求項１記載の情報処理装置。
【請求項１０】
前記波形表示領域には、表示される波形の指定された箇所を表示するアノテーションが表示可能であり、
前記分布表示領域が非表示状態のとき、
受け付けた前記入力情報が前記アノテーションを含む波形の位置を選択する第１の入力情報であれば、前記第２分布表示領域を表示し、受け付ける前記入力情報が前記アノテーションを含む波形の位置を選択する第２の入力情報であれば、前記選択した波形を拡大した拡大波形の表示領域を含む前記第１分布表示領域を表示すること
を特徴とする請求項２に記載の情報処理装置。
【請求項１１】
コンピュータに、
波形表示領域に生体信号の経時的変化を示す波形を表示させるステップと、
前記波形表示領域で選択された波形の所定位置に基づく入力情報を受け付けるステップと、
前記分布表示領域が非表示状態のときは当該入力情報に基づく前記分布表示領域を表示し、前記分布表示領域が表示状態のときは当該入力情報の受付前の前記分布表示領域の分布を当該入力情報に基づく分布に更新して表示させるステップと、
を実行させるためのプログラム。
【請求項１２】
被検者の生体信号を測定する測定装置と、前記測定装置で測定された前記生体信号を記録するサーバと、前記サーバに記録された１以上の前記生体信号を解析する情報処置装置と、を備えた生体信号計測システムであって、
生体信号の経時的変化を示す波形を表示させる波形表示領域と、前記生体信号の分布を示す分布表示領域と、を表示可能であり、
前記波形表示領域に表示されている波形の所定位置を選択する入力情報を受け付けると、前記分布表示領域が非表示状態のときは当該入力情報に基づく前記分布表示領域を表示し、前記分布表示領域が表示状態のときは当該入力情報の受付前の前記分布表示領域の分布を当該入力情報に基づく分布に更新して表示する制御を行う表示制御部を備える、
生体信号計測システム。
【発明の詳細な説明】
【技術分野】
【０００１】
本開示内容は、情報処理装置、生体信号計測システム、及びプログラムに関する。
【背景技術】
【０００２】
近年、脳の神経細胞の活動そのものを非侵襲的に記録するため、神経細胞が生じる電気的活動を脳波計によって検出する方法と、その電気的活動によって生じた磁場（脳磁場）を脳磁計によって検出する方法が行われている。解析者等は、これらの方法により検出されたデータをディスプレイに波形として表示させ、この波形の振幅、生体内部の電流分布などから信号源を推定している。
【０００３】
また、生体から生じる磁場を計測したあとに、解析者等が、得られた計測データをレポートなどの文書データとしてまとめるにあたり、複数の画像データを１つのウィンドウ画面（表示領域）内に表示する情報処理装置が知られている（特許文献１参照）。
【０００４】
得られた計測データを解析するにあたり、特許文献１のように複数の表示領域をディスプレイ上に１つにまとめて表示させると、少ない視線の動きで各表示領域どうしの関係を把握することができると考えられる。ところが、複数の表示領域が表示すると、生体信号の経時的変化を示す波形を表示させる波形表示領域のサイズが制限され、その結果一度に視認できる波形幅が短くなることによる操作性悪化が懸念される。これに対し、波形幅を大きくすれば波形の一覧性は改善する。
【発明の概要】
【発明が解決しようとする課題】
【０００５】
しかしながら、波形表示領域を大きくすると、他の表示領域である生体信号の分布を示す分布表示領域の全部又は一部が非表示となる可能性が考えられる。よって、解析者等が、生体信号の波形の表示と生体信号の分布とを比較して解析を行う場合、非表示となった全部又は一部の分布表示領域を、その都度表示する操作が必要となり、操作性が悪くなる。
【０００６】
本発明は、上記に鑑みてなされたものであって、解析者等が、生体信号の波形の表示と生体信号の分布とを比較して解析を行う場合の操作性を向上させることが可能な情報処理装置、生体信号計測システム、及びプログラムを提供することを目的とする。
【課題を解決するための手段】
【０００７】
上述した課題を解決し、目的を達成するために、請求項１に係る発明は、生体信号の経時的変化を示す波形を表示させる波形表示領域と、前記生体信号の分布を示す分布表示領域と、を表示可能な情報処理装置であって、前記波形表示領域に表示されている波形の所定位置を選択する入力情報を受け付けると、前記分布表示領域が非表示状態のときは当該入力情報に基づく前記分布表示領域を表示し、前記分布表示領域が表示状態のときは当該入力情報の受付前の前記分布表示領域の分布を当該入力情報に基づく分布に更新して表示すること、を特徴とする情報処理装置である。
【発明の効果】
【０００８】
本発明によれば、得られた計測データに基づく波形の一覧性の向上に加え、解析者等が、生体信号の波形の表示と生体信号の分布とを比較して解析を行う場合の操作性を向上させることができる。
【図面の簡単な説明】
【０００９】
【図１】実施形態の生体信号計測システムの概略図である。
【図２】情報処理装置のハードウェア構成図である。
【図３】情報処理装置の機能ブロック図である。
【図４】情報処理装置に表示される開始画面の一例を示す図である。
【図５】測定収録画面の一例を示す図である。
【図６】測定収録時の情報処理装置の動作を示すフローチャートである。
【図７】解析画面の一例を示す図である。
【図８】図７の画面で特定のアノテーションラインが選択されたあとの画面を示す図である。
【図９】解析時の情報処理装置の動作を示すフローチャートである。
【図１０】図７の画面で拡大波形表示領域を閉じたときの画面を示す図である。
【図１１】図１０の画面で等磁場線図、等電位図を含む表示領域を閉じたときの画面を示す図である。
【図１２】図１１の画面でモニタを含む表示領域を閉じたときの画面を示す図である。
【図１３】図１２の画面で等磁場線図、等電位図を含む表示領域を開いたときの画面を示す図である。
【図１４】第１の実施形態の情報処理装置の動作例を示すフローチャートである。
【図１５】第１の実施形態にかかる解析画面の表示例を示す図である。
【図１６】第１の実施形態にかかる解析画面の表示例を示す図である。
【図１７】第１の実施形態にかかる解析画面の表示例を示す図である。
【図１８】第１の実施形態の情報処理装置の別の動作例を示すフローチャートである。
【図１９】第１の実施形態にかかる解析画面の別の表示例を示す図である。
【図２０】第１の実施形態にかかる解析画面の別の表示例を示す図である。
【図２１】第１の実施形態にかかる解析画面の別の表示例を示す図である。
【図２２】第１の実施形態にかかる解析画面の別の表示例を示す図である。
【図２３】第１の実施形態にかかる解析画面の別の表示例を示す図である。
【図２４】図２３に示す解析画面の別の表示例を示す図である。
【図２５】第２の実施形態の情報処理装置の動作例を示すフローチャートである。
【図２６】第２の実施形態の情報処理装置の別の動作例を示すフローチャートである。
【図２７】第３の実施形態の情報処理装置の動作例を示すフローチャートである。
【図２８】第４の実施形態の情報処理装置の動作例を示すフローチャートである。
【図２９】解析画面の別の表示例を示す図である。
【図３０】解析画面の別の表示例を示す図である。
【図３１】解析画面の別の表示例を示す図である。
【発明を実施するための形態】
【００１０】
以下、添付図面を参照しながら、本実施形態に係る情報処理装置、情報処理方法、プログラムおよび生体信号計測システムを詳細に説明する。
【００１１】
図１は、本実施形態の生体信号計測システム１の概略図である。生体信号計測システム１は、被検者（被測定者）の複数種類の生体信号、たとえば脳磁（ＭＥＧ：Magneto-encephalography）信号と脳波（ＥＥＧ：Electro-encephalography）信号を計測し、表示する。測定対象となる生体信号は、脳磁信号および脳波信号に限られるものではなく、例えば心臓の活動に応じて発生する電気信号（心電図として表現可能な電気信号）であってもよい。図１に示すように、生体信号計測システム１は、被検者の１以上の生体信号を測定する測定装置３と、測定装置３で測定された１以上の生体信号を記録するサーバ４０と、サーバ４０に記録された１以上の生体信号を解析する情報処置装置５０と、を含む。ここでは、サーバ４０と情報処理装置５０とは別々に記載されているが、例えばサーバ４０が有する機能の少なくとも一部が情報処理装置５０に組み込まれる形態であってもよい。
【００１２】
図１の例では、被検者は、頭に脳波測定用の電極（またはセンサ）を付けた状態で測定テーブル４に仰向けで横たわり、測定装置３のデュワ３０の窪み３１に頭部を入れる。デュワ３０は、液体ヘリウムを用いた極低温環境の保持容器であり、デュワ３０の窪み３１の内側には脳磁測定用の多数の磁気センサ（単に「センサ」ともいう）が配置されている。測定装置３は、電極からの脳波信号と、磁気センサからの脳磁信号を収集し、収集した脳波信号および脳磁信号を含むデータ（以下の説明では「測定データ」と称する場合がある）をサーバ４０に出力する。サーバ４０に収録された測定データは、情報処理装置５０に読み出されて表示され、解析される。一般的に、磁気センサを内蔵するデュワ３０と測定テーブル４は磁気シールドルーム内に配置されているが、図示の便宜上、磁気シールドルームを省略している。
【００１３】
情報処理装置５０は、複数の磁気センサからの脳磁信号の波形と、複数の電極からの脳波信号の波形を、同じ時間軸上に同期させて表示する。これらのうち、脳波信号は、神経細胞の電気的な活動（シナプス伝達の際にニューロンの樹状突起で起きるイオン電荷の流れ）を電極間の電圧値として表すものである。また、脳磁信号は、脳の電気活動により生じた微小な磁場変動を表わす。脳磁場は高感度の超伝導量子干渉計（ＳＱＵＩＤ）センサで検知される。これらの脳波信号および脳磁信号は「生体信号」の一例である。
【００１４】
図２は、情報処理装置５０のハードウェア構成図である。情報処理装置５０は、ＣＰＵ（Central  Processing  Unit：プロセッサ）２１、ＲＡＭ（Random  Access  Memory）２２、ＲＯＭ（Read  Only  Memory）２３、補助記憶装置２４、入出力インタフェース２５、及び表示装置２８を有し、これらがバス２７で相互に接続されている。
【００１５】
ＣＰＵ２１は、情報処理装置５０の全体の動作を制御し、各種の情報処理を行う。ＣＰＵ２１はまた、ＲＯＭ２３または補助記憶装置２４に格納された情報表示プログラムを実行して、測定収録画面と解析画面の表示動作を制御する。ＲＡＭ２２は、ＣＰＵ２１のワークエリアとして用いられ、主要な制御パラメータや情報を記憶する不揮発ＲＡＭを含んでもよい。ＲＯＭ２３は、基本入出力プログラム等を記憶する。本発明の情報表示プログラムもＲＯＭ２３に保存されてもよい。補助記憶装置２４は、ＳＳＤ（Solid  State  Drive）、ＨＤＤ（Hard  Disk  Drive）などの記憶装置であり、たとえば、情報処理装置５０の動作を制御する制御プログラムや、情報処理装置５０の動作に必要な各種のデータ、ファイル等を格納する。入出力インタフェース２５は、タッチパネル、キーボード、表示画面、操作ボタン等のユーザインタフェースと、各種センサあるいはサーバ４０からの情報を取り込み、他の電子機器に解析情報を出力する通信インタフェースの双方を含む。表示装置２８は各種の情報を表示するためのデバイス（ディスプレイ）である。表示装置２８では測定収録画面と解析画面が表示され、入出力インタフェース２５を介した入出力操作に応じて画面が更新される。
【００１６】
図３は、情報処理装置５０の機能ブロック図である。情報処理装置５０は、制御部２５０、解析部２５２、センサ情報取得部２５３、収録／解析情報保存部２５４、及びアノテーション入力部２５５を有する。制御部２５０は、情報処理装置５０の画面表示を制御する表示制御部２５１を、及び各種判断を行う判断部２５９を含む。
【００１７】
センサ情報取得部２５３は、測定装置３あるいはサーバ４０から、センサ情報を取得する。アノテーション入力部２５５は、センサ情報に付加されるアノテーション情報を入力する。解析部２５２は、収集されたセンサ情報を解析する。センサ情報の解析には、信号波形の解析、振幅の特異点の解析、電流ダイポールの向きを含む脳磁場の解析が含まれる。つまり、この例では、解析部２５２は、解析画面から選択されたアノテーションに対応する信号源を推定する機能（推定部の機能）を有している。表示制御部２５１は、センサ情報の測定収録時、及び解析時の画面表示を上述した手法で制御する。収録／解析情報保存部２５４は、測定データと解析結果を保存する。測定収録時に信号波形にアノテーションが付加された場合は、信号波形が取得された時間情報と対応付けて、アノテーションも保存される。表示制御部２５１を含む制御部２５０の機能は、図２のＣＰＵ２１がＲＯＭ２３等に格納されたプログラムをＲＡＭ２２上に展開して実行することによって実現される。解析部２５２の機能も、ＣＰＵ２１がＲＯＭ２３等に格納されたプログラムをＲＡＭ２２上に展開して実行することにより実現される。なお、これに限らず、例えば制御部２５０および解析部２５２の機能のうちの少なくとも一部が専用のハードウェア回路（半導体集積回路等）で実現される形態であってもよい。センサ情報取得部２５３とアノテーション入力部２５５の機能は入出力インタフェース２５によって実現される。収録／解析情報保存部２５４の機能は、ＲＯＭ２３または補助記憶装置２４によって実現される。
【００１８】
図４は、情報処理装置５０に表示される開始画面２０４の一例を示す。開始画面２０４には、「測定収録」と「解析」の選択ボックスが表示される。脳波及び／または脳磁測定の場合、データの測定収録とデータの解析は、別々の主体によって行われる場合が多い。例えば、測定技師（測定者）によって「測定収録」のボックスが選択されると、測定装置３で測定されたデータは順次サーバ４０に保存され、情報処理装置５０に読み出されて表示される。測定収録の終了後、医師によって「解析」ボックスが選択されると、収録された測定データが読み出され解析される。
【００１９】
＜測定収録時の動作＞
図５は、測定収録画面の一例を示す。測定収録画面は、測定された信号波形を表示する領域２０１Ａと、信号波形以外のモニタ情報を表示する領域２０１Ｂを有する。信号波形を表示する領域２０１Ａは、測定者からみて画面の左側に配置され、信号波形以外のモニタ情報を表示する領域２０１Ｂは、測定者からみて画面の右側に配置されている。リアルタイムで検出され表示される波形の動き（画面の左側から右側に向かって表示される）に合わせた測定者の視線の動きと、画面左側の領域２０１Ａから右側の領域２０１Ｂへマウスを移動させるときの動きに無駄が生じず、作業効率が向上する。
【００２０】
表示画面の領域２０１Ｂでは、測定中に被測定者の様子を確認するためのモニタウィンドウ１７０が表示される。測定中の被測定者のライブ映像を表示することで、信号波形のチェック、判断の信頼性を高めることができる。
【００２１】
領域２０１Ａは、信号検出の時間情報を画面の水平方向（第１方向）に表示する時間表示領域１１０と、信号検出に基づく複数の信号波形を画面の垂直方向（第２方向）に並列に表示する第２の波形表示領域１０１〜１０３を含む。
【００２２】
時間表示領域１１０で表示される時間情報は、時間軸１１２に沿って付された時間表示を含むタイムラインであるが、時間（数字）を表示せずに、帯状の軸だけでもよいし、軸を設けずに時間（数字）の表示だけであってもよい。また、画面上側の時間表示領域１１０の他に、第２の波形表示領域１０３の下側に時間軸を表示して、タイムラインを表示してもよい。
【００２３】
領域２０１Ａでは、同種の複数のセンサから取得される複数の信号波形、あるいは複数種類のセンサ群から取得される複数種類の信号の波形が、同じ時間軸で同期して表示される。たとえば、波形表示領域１０１には被測定者の頭部右側から得られる複数の脳磁信号の波形が、波形表示領域１０２には被測定者の頭部左側から得られる複数の脳磁信号の波形が、それぞれ並列に表示されている。波形表示領域１０３には、複数の脳波信号の波形が並列に表示されている。これらの複数の脳波信号波形は、各電極間で測定された電圧信号である。これらの複数の信号波形の各々は、その信号が取得されたセンサの識別番号あるいはチャネル番号と対応付けられてチャネル軸１０４に表示されている。
【００２４】
測定が開始され各センサからの測定情報が収集されると、時間の経過とともに領域２０１Ａの各波形表示領域１０１〜１０３の左端から右方向に向けて信号波形が表示される。ライン１１３は計測の時刻（現在）を示しており、画面の左から右に向けて移動する。領域２０１Ａの右端（時間軸１１２の右端）まで信号波形が表示されると、その後は画面の左端から右に向けて徐々に信号波形が消え、消えた位置に新しい信号波形が順次左から右方向に表示され且つライン１１３も左端から右に向けて移動していく。これとともに、水平方向の時間表示領域１１０でも測定の進行に対応して、時間の経過が時間軸１１２上に表示される。測定収録は、終了ボタン１１９が押されるまで継続される。
【００２５】
実施形態では、測定者（収録者）がデータ収録中に信号波形上で波形の乱れ、振幅の特異点等に気付いたときに、問題となる箇所または範囲を信号波形上でマークすることができる。マーキングの箇所または範囲は、マウスによるポインタ操作あるいはクリック操作で指定することができる。指定された箇所（または範囲）は、波形表示領域１０１〜１０３の信号波形上に強調表示されるとともに、指定結果が対応する時刻位置又は時間範囲で、時間表示領域１１０の時間軸１１２に沿って表示される。時間軸１１２上への表示を含むマーキングの情報は、信号波形データとともに保存される。指定された箇所は或る時刻に対応し、指定された範囲は或る時刻を含む一定範囲に対応する。
【００２６】
図５の例では、時刻ｔ１で、波形表示領域１０３で１以上のチャネルを含む範囲が指定され、マーク１０３ａ−１で時刻ｔ１を含んだ時間がハイライト表示されている。マーク１０３ａ−１の表示と関連して時間表示領域１１０の対応する時刻位置に、指定結果を示すアノテーション１１０ａ−１が表示されている。時刻ｔ２では、波形表示領域１０３で別の波形位置またはその近傍がマークされ、その位置（時刻ｔ２）または近傍の領域（少なくとも時間範囲か複数の波形のいずれか一つが指示される）にマーク１０３ａ−２がハイライト表示されている。同時に、時間表示領域１１０の対応する時刻位置（時間範囲）に、アノテーション１１０ａ−２が表示される。なお、アノテーションとは、あるデータに対して関連する情報を注釈として付与することを指す。本実施形態のアノテーションは、少なくとも指定された時間情報に基づいて注釈として表示され、少なくとも時間情報に基づく波形が表示される位置と結び付けて、注釈として表示される。また、複数のチャネルが表示される場合、対応するチャネル情報と結びつけ、注釈として表示されるようにしても良い。
【００２７】
時刻ｔ２で、測定者が別の波形箇所またはその近傍領域を指定すると、指定された箇所でマーク１０３ａ−２がハイライト表示され、これとともに、時間表示領域１１０の対応する時刻位置に、アノテーション番号「２」が表示される。さらに、ハイライト表示された箇所に、属性選択のためのポップアップウィンドウ１１５が表示される。ポップアップウィンドウ１１５は、種々の属性を選択する選択ボタンと、コメントや追加情報を入力する入力ボックスを有する。選択ボタンには、波形の属性として「速波（fast activity）」、「眼球運動（eye motion）」、「体動（body motion）」、「スパイク（spike）」など、波形乱れの要因が示されている。測定者は、画面の領域２０１Ｂのモニタウィンドウ１７０で被測定者の様子を確認することができるので、波形の乱れの原因を示す属性を適切に選択することができる。たとえば、波形にスパイクが生じたときに、てんかんの症状を示すスパイクなのか、被測定者の体動（くしゃみ等）に起因するスパイクなのかを判断することができる。
【００２８】
アノテーション１１０ａ−１の一部または全部、たとえば、属性アイコンとテキストアノテーションの少なくとも一方を、波形表示領域１０３の信号波形上のマーク１０３ａ−１の近傍にも表示してもよい。信号波形上へのアノテーションの追加は、波形形状のチェックの妨げになる場合もあり得るので、波形表示領域１０１〜１０３の信号波形上にアノテーションを表示させる場合は、表示・非表示を選択可能にしておくことが望ましい。
【００２９】
領域２０１Ｂのモニタウィンドウ１７０では、測定テーブル４に横たわって頭部を測定装置３に入れている被測定者の状態のライブ映像が表示される。領域２０１Ｂでは、波形表示領域１０１、１０２、１０３の信号波形の各々に対応する分布図１４１、１４２、１３０と、アノテーションリスト１８０が表示される。
【００３０】
分布図１４１、１４２は、脳磁測定用の磁気センサの配置を示す脳磁分布図である。磁気センサは、分布図１４１、１４２内に点在する各点で表現されている。分布図１３０は脳波測定用の電極（またはセンサ）の配置を示す脳波分布図である。
測定収録するにあたって、測定者は波形表示領域１０１、１０２に表示させる波形に対応する磁気センサを脳磁分布図１４１、１４２で指定する。
【００３１】
磁気センサの指定方法の一例として、メニュー１４１ｍ、１４１ｎを押下することで表示されるプルダウンリストから測定者が指定することができる。たとえば、プルダウンリストには、左／右のセンサ群の選択だけでなく、頭頂部、前頭葉、側頭葉などのパートが表示され、任意に選択可能である。ここで、メニュー１４１ｍで脳磁分布図１４１の頭頂部のセンサが選択された場合は、メニュー１４１ｎでは脳磁分布図１４２の頭頂部を除く全てのセンサが選択された状態となる。そして、磁気センサが指定されると、分布図１４１，１４２の点の色が指定されていない点と区別されて表示される。
また、チャネル軸１０４に表示されるセンサの識別番号あるいはチャネル番号は、波形表示領域１０１では頭頂部のセンサの番号、波形表示領域１０２ではそれ以外のセンサの番号となる。
【００３２】
磁気センサの指定方法の別の例として、測定者または解析者がマウスなどの操作手段を用いて、分布図１４１，１４２内で特定したい磁気センサ（点で表示）を囲うこともできる。そうすると、囲われた範囲の内側の点（磁気センサ）の色が範囲外の点と区別されて表示される。
【００３３】
アノテーションリスト１８０は、領域２０１Ａの信号波形上でマークされたアノテーションの一覧である。波形表示領域１０１〜１０３で信号波形上の位置または範囲が指定されアノテーションが付される都度、対応する情報がアノテーションリスト１８０に順次追加される。
【００３４】
終了ボタン１１９が選択（押下）され測定が終了すると、波形表示領域１０１〜１０３で指定されたハイライト箇所は信号波形に対応付けて保存される。時間表示領域１１０の対応する時刻位置に表示されたアノテーション情報も、アノテーション番号と時刻に対応付けて保存される。これらの表示情報を保存することで、測定者と解析者が異なる場合でも、解析者は容易に問題となる箇所を認識し、解析することができる。
【００３５】
図６は、情報処理装置５０で行われる測定収録段階での情報表示処理のフローチャートである。図４に示す開始画面２０４で「測定収録」が選択されると、情報処理装置５０の受付部５２は選択を受け付ける（Ｓ１１）。これにより測定が開始され、表示制御部２５１は、複数の信号の波形が同じ時間軸に沿って同期して表示する（Ｓ１２）。ここで「複数の信号波形」という場合は、同一種類の複数のセンサで検知された信号波形と、異なる種類のセンサの各々で検知された複数の信号波形の両方を含む。この例では、複数の生体信号の波形は、被測定者の頭部右側に対応する複数の磁気センサ群から得られる脳磁信号の波形と、被測定者の頭部左側に対応する複数の磁気センサ群から得られる脳磁信号の波形と、被測定者の脳波測定用の電極から得られる脳波信号の波形と、から構成されるが、これに限られるものではない。
【００３６】
情報処理装置５０の判断部２５９は、表示されている信号波形上で注目箇所または範囲が指定されたか否かを判断する（Ｓ１３）。注目箇所または範囲の指定があると（Ｓ１３でＹＥＳ）、表示制御部２５１は、信号波形の表示領域（波形表示領域１０１〜１０３）に指定位置（領域）を強調表示するとともに、時間軸領域（時間表示領域１１０）の対応する時刻位置に指定結果を表示する（Ｓ１４）。指定結果には、指定がなされたこと自体を示す情報、または指定の識別情報が含まれる。判断部２５９は、時間軸領域への選択結果の表示と同時に、あるいは前後して、アノテーションの入力要求の有無を判断する（Ｓ１５）。アノテーション入力の要求がある場合は（Ｓ１５でＹＥＳ）、表示制御部２５１は、入力されたアノテーション情報を時間軸領域の対応する時刻位置に表示するとともに、アノテーションリスト１８０に追加表示する（Ｓ１６）。その後、判断部２５９は、測定終了コマンドが入力されたか否かを判断する（Ｓ１７）。一方、注目位置（領域）の指定がない場合（Ｓ１３でＮＯ）、及びアノテーションの入力要求がない場合（Ｓ１５でＮＯ）は、ステップＳ１７へ進んで、判断部２５９が測定終了の判断を行う。測定が終了するまで（Ｓ１７でＹＥＳ）、ステップＳ１３〜Ｓ１６を繰り返す。
【００３７】
＜解析時の動作＞
図７は、解析時の情報処理装置５０の画面の一例を示す。解析画面は、図４の開始画面２０４で「解析」ボタンを選択することで表示させる。解析画面は、測定により得られた被検者の１以上の生体信号（この例では、被測定者の頭部右側に対応する複数の磁気センサから得られる脳磁信号、被測定者の頭部左側に対応する複数の磁気センサから得られる脳磁信号、被測定者の脳波測定用の電極から得られる脳波信号）の経時的変化を示す生体データと、測定時に生体データに対して入力された１以上のアノテーションとを対応付けた画面である。本実施形態では、情報処理装置５０の表示制御部２５１が、この解析画面を表示部（後述の表示装置２８）に表示する制御を行う。図７の例では、解析画面は、収録された３つの生体信号の経時的変化を示す波形（生体データに相当）をアノテーションとともに表示する領域２０２Ａと、解析情報を表示する領域２０２Ｂを有する。この例では、解析画面では３つの生体信号の経時的変化を示す波形を表示しているが、これに限らず、例えば、被検者へ与える刺激を発生させる刺激発生装置の入力信号が表示される場合もあるので、信号数は３つに限られるものではない。収録された信号波形とアノテーション情報を表示する領域２０２Ａは、測定者からみて画面の左側に配置され、解析表示する領域２０２Ｂは、測定者からみて右側に配置されている。このように領域２０２Ａ及び領域２０２Ｂを同時に表示するのは、解析の際に、測定者が、領域２０２Ａで信号波形をチェックまたは選択しながら、マウス等を操作して領域２０２Ｂで解析結果を確認または確定させる作業を効率的に行い易いからである。
【００３８】
本実施形態では、領域２０２Ａの波形表示領域１０３の脳波信号の波形の画面上方に、波形表示領域１０１，１０２の脳磁信号の波形を表示している。また、領域２０２Ａの右側の領域２０２Ｂでは、領域２０２Ａに近い側の画面領域で且つ画面上方に脳磁分布図１４１，１４２が表示され、脳波分布図１３０が脳磁分布図１４２の下方に表示されている。このため、解析者は、波形表示領域１０３の「脳波信号の波形」、波形表示領域１０１，１０２の「脳磁信号の波形」、脳磁分布図１４１、１４２、及び脳波分布図１３０の順に（この場合は、時計回りで）視線移動を行うことができる。そのため、解析者（または測定者）の視線移動が効率的になり、その結果、解析作業効率を向上させることが可能となる。なお、上記では、時計回りとして説明したがこの例に限定されない。
【００３９】
また、チャネル軸１０４の隣に、脳磁分布図１４１，１４２、脳波分布図１３０の各縮小画像１４１ａ，１４２ａ，１３０ａが表示されている。縮小画像は、脳磁分布図１４１，１４２、脳波分布図１３０の描画形状を小さくしたものであり、脳磁分布図１４１，１４２、脳波分布図１３０の設定状態を表示している。たとえば、脳磁分布図１４１，１４２で選択したセンサの範囲を縮小画像１４１ａ，１４２ａでは塗りつぶして表示している。
【００４０】
領域２０２Ａは、測定時の時間情報を画面の水平方向（第１方向）に表示する時間表示領域１１０及び時間帯表示領域１２０と、収録された信号波形を種類ごとに画面の垂直方向（第２方向）に並べて表示する波形表示領域１０１〜１０３とを含んでいる。
【００４１】
時間表示領域１１０には、収録時の時間の経過を示す時間軸１１２と、時間軸１１２に沿って付加されたアノテーション１１０ａ−７、１１０ａ−８が表示される。
【００４２】
時間帯表示領域１２０には収録時間の全体を示す時間軸１２２が表示される。時間軸１２２に沿って、アノテーションが付加された時刻位置を示すポインタマーク１２０ａと、波形表示領域１０１〜１０３に現在表示されている信号波形が収録された時間帯を示すタイムゾーン１２０ｂが表示される。この表示により、解析者は、現在解析中の信号波形が、測定収録時のどの時間帯で取得された信号波形なのかを直感的に把握することができる。
【００４３】
解析者は、解析画面を開いた後に、たとえば、時間軸１２２のバー上でタイムゾーン１２０ｂをドラッグすることで所望の時間帯の信号波形を波形表示領域１０１〜１０３に表示させることができる。あるいは、後述するように、解析者が、アノテーションリスト１８０の中から所望のアノテーションを選択することで、表示制御部２５１は、この選択されたアノテーションを含む前後の信号波形を波形表示領域１０１〜１０３に表示させることができる。
【００４４】
波形表示領域１０１〜１０３には、収録時に信号波形に付加されたアノテーションＡ７、Ａ８が表示されている。マーク１０３ａ−７、１０３ａ−８がハイライト表示され、マーク１０３ａ−７、１０３ａ−８の近傍に対応する属性アイコン１０６−７、１０６−８が表示されている。また、マーク１０３ａ−７、１０３ａ−８の時刻位置を示す縦のライン１１７−７、１１７−８が表示されている。ライン１１７が表示されることで、たとえば、波形表示領域１０３の所定の箇所の選択と関連してアノテーションが付加されたときに、解析者は、他の信号表示エリアである波形表示領域１０２、１０１においても、選択結果を容易に視認することができる。ライン１１７−７、１１７−８は、アノテーション情報の視認を容易にするという意味でアノテーション情報に含めることができ、「アノテーションライン」と称してもよい。
【００４５】
図７に示されている解析画面には、波形表示領域１０１、１０２に表示されている信号波形に対応する脳磁分布図１４１、１４２、及び波形表示領域１０３に表示されている信号波形に対応する脳波分布図１３０が表示されている。また、脳磁図（ＭＥＧ：Magnetoencephalograph）の等磁場線図１５０（第１分布表示領域の一例）と、脳波図（ＥＥＧ；Electroencephalograph）の等の電位図１６０と、ＭＲＩ（磁気共鳴画像：Magnetic  Resonance  Imaging）で取得された被測定者の脳の断層画像の表示ウィンドウ１９０が表示されている。等磁場線図１５０では、磁場の湧き出し領域と沈み込み領域が色分けされて表示され、電流の流れる方向が視覚的に把握される。等磁場線図１５０と等電位図１６０は測定完了後に得られる情報であり、ＭＲＩの断層画像は、別途検査で得られる情報である。
【００４６】
モニタウィンドウ１７０には、波形表示領域１０１〜１０３の信号波形が取得された時刻に同期して、測定時の被測定者の映像が表示される。解析者は、モニタウィンドウ１７０を見て被測定者の状態を確認しながら信号波形を解析することができる。
【００４７】
アノテーションリスト１８０には、測定収録で付加されたすべてのアノテーションが含まれている。解析者が所望のアノテーション番号１８１または行をクリックすることで、
表示制御部２５１は、図７の波形表示領域１０１〜１０３に、そのアノテーションが付加された時刻位置を含む所定の時間帯の信号波形を表示させることができる。
【００４８】
測定収録画面と異なり、解析者がアノテーション部分の信号波形を確認して最終的に信号源の推定がなされたアノテーションには、推定完了マーク１８２が表示されている。
【００４９】
図８は、図７の解析画面でライン１１７−７が選択（たとえばダブルクリック）された直後の画面の全体図である。解析者が図７に示すアノテーションＡ７に着目して、この領域の波形を解析するためにライン１１７−１を選択（たとえばダブルクリック）すると、表示制御部２５１は、ハイライトされた信号波形の近傍の信号波形が図８に示すように拡大表示領域２００に拡大表示する。領域１１４で示される一定の時間範囲にわたって、信号波形が時刻位置を示すライン２１７−７とともに拡大表示される。
【００５０】
解析者の操作によって、表示制御部２５１が拡大表示領域２００に信号波形を拡大表示することで、解析者は、収録時に付加されたマークに対応する波形の妥当性を再確認し、あるいは計測収録時にチェックされていない波形部分をチェックすることができる。たとえば、ライン２１７−７を左右にドラッグすることで、問題となる波形の正確な個所を特定または変更することができる。
【００５１】
また、拡大表示領域２００に表示する信号波形の種類と、チャネル範囲を指定することも可能である。たとえば、解析者は、視線を波形表示領域１０３でハイライトされたマーク１０３ａ−７から画面の上方へ移し、脳磁波形の波形表示領域１０１または１０２の波形に振幅の特異点がないかを確認する。この場合、波形表示領域１０１または１０２のターゲットのチャネル領域を指定することで、拡大表示領域２００にマーク１０３ａ−７と関連する脳磁波形を拡大表示することができる。
【００５２】
拡大表示領域２００の画面の下側には、確認ウィンドウ２１０が表示されている。確認ウィンドウ２１０は、信号波形の属性ボタン２１１と、信号源の推定ボタン２１２を含む。属性ボタン２１１は、測定収録画面のポップアップウィンドウ１１５に含まれる属性情報と対応し、収録時に付加された属性が誤っているときは、属性ボタン２１１を選択して正しい属性を選択することができる。信号波形の正しい位置、及び／あるいは属性の選択が確認されたならば、推定ボタン２１２をクリックすることで信号源の推定をアノテーションに反映することができる。つまり、本実施形態の情報処理装置５０は、解析画面から選択されたアノテーションに対応する信号源を推定する機能を有している。推定された信号源は、ＭＲＩで取得された被測定者の脳の複数の断層画像（生体断層画像）のうち該推定された信号源に対応する断層画像上に重畳して表示することができる。
【００５３】
図８で、所望のアノテーションについて、信号波形位置及び／または属性が確認され、信号源の推定ボタン２１２が選択されると、アノテーションリスト１８０の対応するアノテーションに、推定完了マーク１８２が付加される。さらに、表示ウィンドウ１９０のＭＲＩ断層画像に、ダイポールの推定結果１９０ａが表示される。
【００５４】
図９は、情報処理装置５０で行われる解析段階での情報表示処理のフローチャートである。開始画面２０４（図２参照）で「解析」が選択されると、情報処理装置５０の受付部５２は、選択を受け付ける（Ｓ２１）、これにより解析が開始され、表示制御部２５１は、解析画面を表示する（Ｓ２２）。初期の解析画面は、信号波形が表示されていないブランク画面であってもよいし、収録の先頭または最後の一定の時間範囲の信号波形であってもよい。解析画面が表示されると、判断部２５９は、特定のアノテーションが選択されたか否かを判断する（Ｓ２３）。アノテーションの選択は、アノテーションリスト１８０内での特定のアノテーション番号または行の選択であってもよいし、時間帯表示領域１２０の時間軸１２２上のタイムゾーン１２０ｂを操作することによる時刻位置の指定であってもよい。アノテーションの選択があると（Ｓ２３でＹＥＳ）、表示制御部２５１は、選択されたアノテーションの時刻位置を含む所定時間分の信号波長を表示する（Ｓ２４）。
【００５５】
表示された画面で、判断部２５９は、ハイライト表示されたマークの時間位置を示すライン１１７が選択されたか否かを判断する（Ｓ２５）。ライン１１７が選択されると（Ｓ２５でＹＥＳ）、表示制御部２５１は、選択されたラインを含む一定の時間範囲の信号波形が図８に示すように拡大表示する（Ｓ２６）。拡大表示は、必ずしもハイライト表示されたマークの近傍の信号波形に限定されず、同じ時間位置の異なる種類の信号波形を拡大表示してもよい。たとえば、脳波信号波形にハイライト表示されたマークが付されている場合に、同じ時間位置の脳磁信号波形を拡大表示させてもよい。また、すべてのチャネルの信号波形を拡大表示する替わりに、マークされた信号波形が取得されたチャネルを含む一定範囲のチャネルで取得された信号波形を拡大表示させてもよい。この場合、拡大表示させたい信号波形の種類、及び／またはチャネル範囲の指定入力の有無を判断してもよい。
【００５６】
次に、判断部２５９は、図８に示す信号源の推定ボタン２１２が押下されたか否かを判断する（Ｓ２７）。信号源の推定ボタン２１２が押下されると（Ｓ２７でＹＥＳ）、解析部２５２は、信号源推定の演算を行う。表示制御部２５１は、表示ウィンドウ１９０のＭＲＩ断層画面に推定結果１９０ａを表示するとともに、推定完了マーク１８２をアノテーションリスト１８０に追加する（Ｓ２８）。そして、アノテーションリスト１８０の下に配置されたマージボタン３００の押下を受け付けた場合（Ｓ２９：ＹＥＳ）、表示制御部２５１は、別の画面を表示し、画面に関する処理を行う（Ｓ３０）。マージボタン３００の押下を受け付けなかった場合（Ｓ２９：ＮＯ）、または、Ｓ３０の後は、判断部２５９は、解析終了ボタン３０１の押下を受け付けたか否かを判断する（Ｓ３１）。アノテーションの選択がない場合（Ｓ２３でＮＯ）、拡大表示のためのアノテーションラインの選択がない場合（Ｓ２５でＮＯ）、及び信号源推定ボタン選択の入力がない場合（Ｓ２７でＮＯ）は、ステップＳ３１へ飛んで解析終了の判断が行われる。解析終了ボタン３０１の押下が受け付けられるまで（Ｓ３１でＹＥＳ）、ステップＳ２３〜Ｓ３０が繰り返される。
【００５７】
ステップＳ２６とＳ２７の間に、アノテーションが変更されたか否かの判断を行ってもよい。アノテーションが変更された場合は、アノテーションリスト１８０へ変更を反映して、ステップＳ２７の判断に移行する。
【００５８】
図７，８に示すように、波形表示領域１０３の「脳波信号の波形」、波形表示領域１０１，１０２の「脳磁信号の波形」、脳磁分布図１４１、１４２、脳波分布図１３０を時計方向の順番でまとめて表示させることで、少ない視線の動きで各画面どうしの関係を把握することができ、効率的である。
【００５９】
しかし、解析画面は、脳磁および脳波信号の波形の時間方向側（右側）に、脳磁分布図１４１、１４２、脳波分布図１３０（以下まとめて「表示領域２０４Ｂ」という）が表示され、さらに右側にモニタウィンドウ１７０やアノテーションリスト１８０（以下まとめて「表示領域２０５Ｂ」という）も表示されている。そのため、「脳波信号の波形」と「脳磁信号の波形」の時間軸方向の表示幅に制限がある。一度に視認できる波形幅が短くなることによる操作性悪化または解析作業性悪化の問題がある。
【００６０】
そこで、図１０乃至１２に示すように、「脳波信号の波形」と「脳磁信号の波形」の時間軸方向の表示幅が大きくなるよう波形以外の表示領域を非表示に切り替えることができる。
【００６１】
まず、解析者が、図７に示す解析画面において、解析画面のウインドウクローズボタン１４３を押下すると、表示制御部２５１は、図１０に示すように分布図１４１，１４２，１３０を非表示とする。そして、表示制御部２５１は、分布図が表示されていた領域にも波形表示領域１０１乃至１０３の波形を表示させる。
【００６２】
図１０に示す波形は、図７に比べて時間軸方向に大きく（分布図１４１，１４２，１３０の幅方向分）表示できるので、より長い波形を一度に視認できる。ここで、脳磁分布図１４１，１４２、脳波分布図１３０の設定状態を縮小表示する縮小画像１４１ａ，１４２ａ，１３０ａは表示されたままであるため、設定状態は視認できる状態を維持している。
【００６３】
ここで、図１０に示す解析画面で、縮小画像１４１ａ，１４２ａ，１３０ａのいずれかが押下されると、表示制御部２５１は、図７に示すように分布図１４１，１４２，１３０を表示する。図１０から図７に画面が切り替わるとき、第２の波形表示領域１０１〜１０３に表示される波形の開始時間は、図１０と図７とで同じであることが好ましい。このとき、第２の波形表示領域１０１〜１０３に表示される新しい時間の波形（分布図１４１，１４２，１３０の配置領域に重なる波形）に重ねて分布図１４１，１４２，１３０が表示されているように、解析者は認識する。
【００６４】
これにより、分布図１４１，１４２，１３０の表示および非表示を切り替えても波形表示領域１０１〜１０３に表示される波形の表示位置が変わらないため、作業性が向上する。
【００６５】
次に、図１０に示す解析画面において、解析者が、ウインドウクローズボタン１４４を押下すると、表示制御部２５１は、図１１に示すように、表示領域２０４Ｂ（表示ウィンドウ１９０、等磁場線図１５０、等電位図１６０）を非表示とする。そして、表示領域２０４Ｂが表示されていた領域にも波形表示領域１０１乃至１０３の波形が表示される。また、図１０から図１１に切り替わったときには、ウインドウクローズボタン１４４はウインドウオープンボタン１４５に切り替わる。
【００６６】
図１１に示す波形は、図１０に比べてさらに時間軸方向に大きく（表示領域２０４Ｂの幅方向分）表示できるので、より長い波形を一度に視認できる。
【００６７】
ここで、図１１に示す解析画面で、ウインドウオープンボタン１４５が押下されると、図１０に示すように表示領域２０４Ｂが表示される。図１１から図１０に画面が切り替わるとき、波形表示領域１０１〜１０３に表示される波形の開始時間は、図１１と図１０とで同じであることが好ましい。このとき、波形表示領域１０１〜１０３に表示される新しい時間の波形（表示ウィンドウ１９０、等磁場線図１５０、等電位図１６０の配置領域に重なる波形）に重ねて表示ウィンドウ１９０、等磁場線図１５０、等電位図１６０が表示されているように、解析者は認識する。
【００６８】
これにより、表示ウィンドウ１９０、等磁場線図１５０、等電位図１６０の表示および非表示を切り替えても第２の波形表示領域１０１〜１０３に表示される波形の表示位置が変わらないため、作業性が向上する。
【００６９】
次に、図１１に示す解析画面において、解析者が、ウインドウクローズボタン１４６を押下すると、表示制御部２５１は、図１２に示すように表示領域２０５Ｂ（モニタウィンドウ１７０とアノテーションリスト１８０）を非表示とする。そして、表示制御部２５１は、表示領域２０５Ｂが表示されていた領域にも波形表示領域１０１乃至１０３の波形を表示する。また、図１１から図１２に切り替わったときには、ウインドウクローズボタン１４６はウインドウオープンボタン１４７に切り替わる。
【００７０】
図１２に示す波形は、図１１に比べてさらに時間軸方向に大きく（表示領域２０５Ｂの幅方向分）表示できるので、より長い波形を一度に視認できる。
【００７１】
ここで、図１２に示す解析画面で、ウインドウオープンボタン１４７が押下されると、表示制御部２５１は、図１１に示すように表示領域２０５Ｂ（モニタウィンドウ１７０とアノテーションリスト１８０）を表示する。図１２から図１１に画面が切り替わるとき、波形表示領域１０１〜１０３に表示される波形の開始時間は、図１２と図１１とで同じであることが好ましい。このとき、波形表示領域１０１〜１０３に表示される新しい時間の波形（モニタウィンドウ１７０とアノテーションリスト１８０の配置領域に重なる波形）に重ねてモニタウィンドウ１７０とアノテーションリスト１８０が表示されるように、解析者は認識する。
【００７２】
これにより、モニタウィンドウ１７０とアノテーションリスト１８０の表示および非表示を切り替えても波形表示領域１０１〜１０３に表示される波形の表示位置が変わらないため、作業性が向上する。
【００７３】
なお、解析者が、図１２においてウインドウオープンボタン１４５を押すことで、表示制御部２５１が、図１３に示すように表示領域２０５Ｂ（モニタウィンドウ１７０とアノテーションリスト１８０）を非表示としたままで、表示領域２０４Ｂ（表示ウィンドウ１９０、等磁場線図１５０、等電位図１６０）を表示することが可能である。
【００７４】
このように、波形幅を大きくすることにより波形の一覧性は改善するが、たとえば波形と脳磁分布図１４１、１４２とを比較して波形を解析する場合、この脳磁分布図１４１、１４２をその都度表示する操作が必要となり、操作性が悪くなる。
【００７５】
〔第１の実施形態〕
続いて、第１の実施形態について説明する。図１４は第１の実施形態にかかるフローチャートを示す。なお、以下各実施形態で示す表示の処理（表示、非表示、表示の変更等）は、全て表示制御部２５１が行う。また、選択の処理は全て解析者が行い、判断の処理は全て判断部２５９が行う。
【００７６】
情報処理装置５０に表示される開始画面２０４（図４）を解析者が選択すると、解析画面が表示される。このときの解析画面は図７，１０，１１，１２のいずれかである。
【００７７】
表示された解析画面で、ハイライト表示されたマークの時間位置を示すライン１１７またはマーク１０３ａが選択されたか否かが判断される（Ｓ５００）。本例では、ライン１１７−７またはマーク１０３ａ−７が選択されたこととする。
【００７８】
ライン１１７またはマーク１０３ａが選択されたことを受け付けた場合（Ｓ５００：ＹＥＳ）、判断部２５９は、等磁場線図１５０が解析画面に表示されているかを判断する（Ｓ５０２）。
【００７９】
等磁場線図１５０が解析画面に表示されている場合（図７，１０，１３）（Ｓ５０２：ＹＥＳ）、解析画面で表示されている等磁場線図１５０の表示情報をライン１１７−７またはマーク１０３ａ−７の波形情報に対応する等磁場線図１５０の表示情報に更新する（Ｓ５０４）。その後、別のハイライト表示されたマークの時間位置を示すライン１１７−８またはマーク１０３ａ−８が選択された場合（Ｓ５０６：ＹＥＳ）、解析画面で表示されている等磁場線図１５０の表示情報をライン１１７−８またはマーク１０３ａ−８の波形情報に対応する等磁場線図１５０の表示情報に更新する（Ｓ５０４）。解析終了ボタン３０１の押下が受け付けられるまで（Ｓ５０９：ＹＥＳ）、ステップ５０６とステップ５０４が繰り返される。
【００８０】
次に、等磁場線図１５０が解析画面に表示されていない場合（図１１，１２）（Ｓ５０２：ＮＯ）、表示領域２０４Ｂの等磁場線図１５０とは別の等磁場線図１５０ａ−７（第２分布表示領域の一例）を表示するとともに、ライン１１７−７またはマーク１０３ａ−７の波形情報に対応する情報を等磁場線図１５０ａ−７に表示する（Ｓ５０３）。その後、別のハイライト表示されたマークの時間位置を示すライン１１７−１０またはマーク１０３ａ−１０が選択された場合（Ｓ５０５：ＹＥＳ）、解析画面で表示されている等磁場線図１５０ａ−７を非表示とし、等磁場線図１５０ａ−７とは別の等磁場線図１５０ａ−１０を表示するとともにライン１１７−１０またはマーク１０３ａ−１０の波形情報に対応する等磁場線図の表示情報に更新する（Ｓ５０７）。解析終了ボタン３０１の押下が受け付けられるまで（Ｓ５０８：ＹＥＳ）、ステップ５０５とステップ５０７が繰り返される。
【００８１】
なお、ステップ５００でハイライト表示されたマークの時間位置を示すライン１１７またはマーク１０３ａが選択されない場合（Ｓ５００：ＮＯ）、解析終了ボタン３０１の押下が受け付けられるまで（Ｓ５０１：ＹＥＳ）、ステップ５００を繰り返す。
【００８２】
（ステップ５０３の画面表示例１）
図１５は、図１１からの画面遷移を示すステップ５０３での画面表示例を示す。等磁場線図１５０ａ−７は、選択されたライン１１７−７またはマーク１０３ａ−７付近（より具体的には時間軸方向で選択位置よりも遅い時間領域）の波形上に表示される。等磁場線図１５０ａ−７の表示サイズは、図７，１０，１３の等磁場線図１５０のサイズと同じである。また、等磁場線図１５０ａ−７の背景は塗りつぶされており、波形表示領域１０１〜１０３の波形と識別しやすくしている。等磁場線図１５０ａ−７は、等磁場線図１５０と同様に、頭部外形が表示され、その内側に磁場の湧き出し領域と沈み込み領域が色分けされて表示され、電流の流れる方向が視覚的に把握できる。また、等磁場線図１５０ａ−７は、指定したライン１１７−７上のＭＥＧ波形に対応する磁場分布を示しており、視覚的に脳活動の場所を予測できる。
【００８３】
また、波形表示領域１０３に表示される脳波信号の波形は、たとえば頭部の左側と右側とで異なる色で表現している。または、脳波信号の波形の色は同じで、波形の縦軸に表現されている２点間の電極番号から頭部の左側と右側を推測できるようになっている。そのため、第２の波形表示領域１０３に表示される色から頭部の左右どちらが活動しているかがある程度予測可能である。その予測をもとに、等磁場線図１５０ａ−７より予測される脳活動の場所と比較することで妥当性を判断することが可能である。たとえば第２の波形表示領域１０３に表示される脳波信号の波形で頭部左側が活動しているとわかっていたとき、等磁場線図１５０ａ−７で右側に湧き出しと沈み込みがあれば、違うという予想が可能である。一方、等磁場線図１５０ａ−７で左側に湧き出しと沈み込みがあれば、妥当性が高そうと予想できる。
【００８４】
選択した時間の近くに等磁場線図１５０ａ−７を表示させたことで、等磁場線図１５０ａ−７と選択した波形との比較において、解析者の視線の動きを小さくすることができ、作業性が向上する。さらには、等磁場線図１５０ａ−７は比較対象とするＭＥＧ波形の選択時間の近く縫い表示させたことで、解析者の視線の動きを小さくすることができ、作業性が向上する。
【００８５】
従来の場合、解析者は、図１１で波形を閲覧し、確認が必要な波形位置があるとウインドウオープンボタン１４５を押下して表示領域２０４Ｂを表示させてから、波形位置を選択し、等磁場線図１５０の情報を更新させていた。
【００８６】
これに対し、本実施形態によれば、図１１で波形を閲覧し、確認が必要な波形位置を選択すれば、比較対象となる等磁場線図１５０ａが表示されるので、操作性が向上する。
【００８７】
（ステップ５０３の画面表示例２）
図１６は、図１２からの画面遷移を示すステップ５０３での画面表示例を示す。等磁場線図１５０ａ−７は、図１５と同様に選択されたライン１１７−７またはマーク１０３ａ−７付近（より具体的には時間軸方向で選択位置よりも遅い時間領域）の波形上に表示される。
【００８８】
図１５と同様の効果が得られる他に、図１５よりも波形の一覧性が向上する。
【００８９】
（ステップ５０７の画面表示例）
図１７は、図１５からの画面遷移を示すステップ５０７での画面表示例を示す。図１７は、図１５で等磁場線図１５０ａ−７が表示されたあとに、ライン１１７−１０またはマーク１０３ａ−１０が選択されたあとの状態を示し、等磁場線図１５０ａ−７は閉じ、等磁場線図１５０ａ−１０を表示するとともにライン１１７−１０またはマーク１０３ａ−１０の波形情報に対応する等磁場線図の表示情報に更新されている。等磁場線図１５０ａ−１０と等磁場線図１５０ａ−７とでは、磁場の湧き出し領域と沈み込み領域の表示が異なる以外、頭部外形形状やサイズ、背景色は同じである。本例によれば、図１５と同様の効果が得られる。
【００９０】
なお、本画面の表示例は図１６の例でも適用可能である。
【００９１】
また、本例に限定されることはなく、たとえば、等磁場線図１５０ａ−７を表示状態のままとし、等磁場線図１５０ａ−１０も表示するようにしてもよい。
【００９２】
（第１の実施形態の変形例）
図１８は第１の実施形態にかかるフローチャートの変形例を示す。図１８において、図１４に示すステップと同じステップは同じステップ番号とし、説明を割愛する。
【００９３】
上記第１の実施形態では、アノテーション付近の波形選択が入力されたとき、等磁場線図１５０が表示されていたか否かを判断していた。
【００９４】
本変形例では、表示領域２０４Ｂが表示状態か否かを判断（Ｓ６００）する。この表示領域２０４Ｂの表示状態は、ウインドウオープンボタン１４５が入力された状態で維持されているか、またはウインドウクローズボタン１４４が入力された状態で維持されているかで判断してもよい。また、解析画面上でウインドウオープンボタン１４５またはウインドウクローズボタン１４４が表示されていることの情報で判断してもよい。本例においても、図１４のフローと同様の効果を得ることができる。
【００９５】
（第１の実施形態の解析画面の別の表示例１）
第１の実施形態におけるステップ５０３では、等磁場線図１５０ａのみを表示させていたが（図１５乃至図１７）、これに限られない。たとえば、図１９または図２０のように、選択した波形を構成する「脳波信号の波形」と「脳磁信号の波形」のうち、「脳波信号の波形」に対応する脳波図の等電位図１６０を等磁場線図とともに表示させてもよい。
【００９６】
図１９は、脳波図の等電位図１６０ａが追加された点が図１５と相違する。また、図１９では、ライン１１７−８またはマーク１０３ａ−８が選択されたときの等磁場線図および等電位図を示している。
【００９７】
図２０は、脳波図の等電位図１６０ａが追加された点が図１６と相違する。また、図２０では、ライン１１７−８またはマーク１０３ａ−８が選択されたときの等磁場線図および等電位図を示している。
【００９８】
本例によれば、図１５で示した比較検証のほか、次のことを検証することが可能である。まず、表示領域に表示される振幅が大きい波形の位置にライン１１７−８またはマーク１０３ａ−８が表示されていたとき、これがてんかんによるものであるか、瞬きによるものなのかを波形の形状から把握することは難しい。そこで、この波形の時間に対応する等電位図１６０−ａ８を確認することで、その波形がてんかんまたはアーティファクトのいずれであるかの妥当性を高めることができる。
【００９９】
また、等電位図１６０−ａ８に表示する分布の＋，−の２点間を流れる電流の向きと、等磁場線図１５０ａ−８に表示する湧き出しと沈み込みの間を流れる電流の向きと、が直交しているかを、両方の分布から視覚的に解析者が判断することができる。
【０１００】
（第１の実施形態の解析画面の別の表示例２）
図２１は、図１９および図２０での表示項目に加え、被測定者の脳の断層画像の表示ウィンドウ１９０も表示させている。
【０１０１】
本例で表示させている項目は、図７，８に示す表示領域２０４Ｂと同じであるが、表示領域２０４Ｂは閉じた状態で、別の画面が波形上に表示されている。また、図２１では、選択した波形位置がライン１１７またはマーク１０３ａであるが、等磁場線図、等電位図、表示ウィンドウは、画面の右よりに表示させている。等磁場線図、等電位図、表示ウィンドウは上下方向全ての波形を覆っているが、画面の右よりに表示させていることで、他のアノテーション位置を視認することが可能である。
【０１０２】
本例によれば、図２０と同様の効果が得られる。
【０１０３】
（第１の実施形態の解析画面の別の表示例３）
図２１に替えて、図１３のように表示させてもよい。この場合、図１１または図１２のときに、ライン１１７またはマーク１０３ａが選択されたら、ウインドウオープンボタン１４５がＯＮとなるよう制御され、図１３のように表示する。これにより、手動でウインドウオープンボタン１４５をＯＮとしていたが、ライン１１７またはマーク１０３ａが選択されることで表示領域２０４Ｂが自動的に開いて表示されるので、操作性が向上する。また、図２１と同様の効果が得られる。
【０１０４】
（第１の実施形態の解析画面の別の表示例４）
上述した形態に替えて、図２２，２３のように表示させてもよい。図２２，２３は、ライン１１７またはマーク１０３ａが選択されることで、これに対応する拡大表示領域２００ａ−７と等磁場線図１５０ａ−７が表示された状態を示している。
【０１０５】
本例での拡大表示領域２００ａ−７は、図８に示す拡大表示領域２００と表示形態が異なっている。本例では、表示させる脳磁信号の波形（波形表示領域１０１および１０２に表示されている波形）を全て０基準で重ね合わせて表示させている。これにより、相対的に振幅が大きい波形の視認性を向上させることができる。また、拡大表示領域２００ａ−７の脳磁信号の波形の縦方向の幅を小さくすることができるので、拡大表示領域２００ａ−７と等磁場線図１５０ａ−７とを同じ高さで横方向に並置させることができ、視認性が向上する。本例によれば、図１５に示す等磁場線図１５０ａ−８と同様の効果が得られるとともに、等磁場線図の分布と対応するＭＥＧ波形（波形領域１０１および１０２に表示されている）の拡大図とを比較することができるので、ダイポール推定する価値がある波形か否かを判断可能となる。
【０１０６】
（第１の実施形態の解析画面の別の表示例５）
図２２，２３では、拡大表示領域２００ａ−７と等磁場線図１５０ａ−７が閲覧のみの機能であったが、これに替えて図２４のようにしてもよい。
【０１０７】
解析者が図２２，２３に示すアノテーションに着目して、この領域の波形を解析するためにライン１１７−７を選択すると、ハイライトされた信号波形の近傍の信号波形が図２４に示すように拡大表示領域２００ａ−７に拡大表示される。ライン１１７−７を含む前後の時間範囲にわたって、信号波形が時刻位置を示すライン２１７ａ−７とともに拡大表示される。
【０１０８】
解析者は、拡大表示領域２００ａ−７に信号波形を拡大表示することで、収録時に付加されたマークに対応する波形の妥当性を再確認できる。たとえば、ライン２１７ａ−７を左右にドラッグすることで、問題となる波形の正確な個所を特定または変更することができる。このとき、ライン２１７ａ−７を左右にドラッグする動作に連動して、等磁場線図１５０ａ−７における磁場の湧き出し領域と沈み込み領域の表示も更新される。
【０１０９】
拡大表示領域２００ａ−７の画面の下側には、信号源推定をアノテーションに反映させるかどうかのチェックボックス２１３ａ−７と、信号源の推定ボタン２１２ａ−７が表示されている。信号波形の正しい位置が確認されたならば、解析者はチェックボックス２１３ａ−７にチェックを入れ、推定ボタン２１２ａ−７をクリックすることで信号源の推定をアノテーションに反映することができる。
【０１１０】
拡大表示領域２００ａ−７の画面で信号源の正しい位置を確認した後に、図８に示す拡大波形で信号厳の正しい位置の特定をすると、図８における拡大波形画面で信号源の正しい位置を再調整しなければならない。これに対し、本例によれば、拡大表示領域２００ａ−７の画面で確認できた信号波形の正しい位置で、信号源の推定およびアノテーションへの反映が可能となるので、操作性が向上する。
【０１１１】
〔第２の実施形態〕
続いて、第２の実施形態について説明する。ライン１１７−７またはマーク１０３ａ−７の選択にともなう入力情報の違いによって、開く画面が異なる形態に関して図２５を用いて説明する。本例についても、上述したステップと同じであるステップについては同じ符号をつけ、説明を割愛する。
【０１１２】
ライン１１７−７またはマーク１０３ａ−７付近の波形を選択したとき（Ｓ５００：ＹＥＳ）、その入力情報がマウスによってダブルクリックされたものであれば（Ｓ７００：ＮＯ）、表示領域２０４Ｂと拡大波形領域２０６Ｂとを表示し、等磁場線図１５０、等電位図１６０の表示情報をライン１１７−７またはマーク１０３ａ−７付近の波形情報に対応する情報に更新して表示する（Ｓ７０７）。そして、図９に示すステップ２７に移行する。
【０１１３】
図２５において、ライン１１７−７またはマーク１０３ａ−７付近の波形を選択したとき（Ｓ５００：ＹＥＳ）の入力情報がマウスによるシングルクリックであれば（Ｓ７００：ＹＥＳ）、表示領域２０４Ｂが閉じているかどうかを判断する（Ｓ６００）。
【０１１４】
表示領域２０４Ｂが閉じていたら（Ｓ６００：ＹＥＳ）、図２４に示す拡大表示領域２００ａ−７と等磁場線図１５０ａ−７を表示する（Ｓ７０３）。そして、拡大表示領域２００ａ−７の画面の下側に表示されている信号源の推定ボタン２１２ａ−７の情報を受け付けると（Ｓ７０５：ＹＥＳ）、信号源を推定し、推定結果をアノテーションリストに更新する（Ｓ７０６）。
【０１１５】
図７、図１０、図１３のいずれかのように表示領域２０４Ｂが開いていたら（Ｓ６００：ＮＯ）、表示されている等磁場線図１５０、等電位図１６０の表示情報を、選択した位置の波形情報に対応する情報に更新する（Ｓ７０４）。そして、図９に示すステップ２５に移行する。
【０１１６】
このように、ライン１１７−７またはマーク１０３ａ−７付近の波形を選択するときの入力情報に応じて、異なる画面を表示させることにより、画面表示の操作性が向上する。
【０１１７】
なお、入力情報として、シングルクリックとダブルクリックを例に挙げたがこれに限られない。たとえば、マウスによる左クリックと右クリックとしてもよいし、クリックによるＯＮ時間（短い時間と長い時間）によって区別してもよく、他の方法としてもよい。
【０１１８】
（第２の実施形態の変形例１）
図２６で示す本例は、領域２０４Ｂが閉じている（Ｓ６０１：ＹＥＳ）とき、図２２，２３に示す拡大表示領域２００ａ−７と等磁場線図１５０ａ−７を表示する（Ｓ８００）点で、図２５の例と相違する。図２５と同じステップについては同じ符号をつけ、説明を割愛する。
【０１１９】
本例の拡大表示領域２００ａ−７には、図２４に示すライン２１７ａ−７や信号源の推定ボタン２１２ａ−７が表示されていない。
【０１２０】
そこで、信号波形の正しい位置の特定や、信号源の推定をする場合、解析者は拡大表示領域２００ａ−７の画面をマウスでダブルクリックする（Ｓ８０１：ＹＥＳ）。すると、拡大表示領域２００ａ−７と等磁場線図１５０ａ−７を閉じ、図８に示すような拡大波形が表示される（Ｓ６０２）。そして、図９に示すステップ２７に移行し、信号源の推定を行う。
【０１２１】
本例によれば、信号源の推定を図８に示す画面で統一することで、プログラムの実装が簡易になり、プログラムの実行負荷を低減できる。なお、Ｓ８０１はシングルクリックとしてもよい。
【０１２２】
〔第３の実施形態〕
続いて、第３の実施形態について説明する。上述した例では、選択した波形位置がライン１１７−７を含むその付近またはマーク１０３ａ−７を含むその付近であった。本例では、選択した波形位置がライン１１７−７およびマーク１０３とは異なる位置であったときの画面遷移について図２７を用いて説明する。
【０１２３】
解析画面の波形領域１０１乃至１０３に表示された波形のある位置を選択した入力情報を受け付けると（Ｓ９００：ＹＥＳ）、その選択した波形の位置がアノテーション付近（ライン１１７−７を含むその付近またはマーク１０３ａ−７を含むその付近）を判断する（Ｓ９０１）。
【０１２４】
選択した波形の位置がアノテーション付近であれば（Ｓ９０１：ＹＥＳ）、解析画面に表示領域２０４Ｂが表示されていれば（Ｓ９０３：ＮＯ）、表示されている等磁場線図１５０の表示情報を、指定した位置の波形情報に対応する情報に更新して表示する（Ｓ９０５）。一方、解析画面に表示領域２０４Ｂが表示されていないとき（Ｓ９０３：ＹＥＳ）、等磁場線図１５０ａを表示し、アノテーションの波形情報に対応する情報を表示する。
【０１２５】
選択した波形の位置がアノテーション付近でないとき（Ｓ９０１：ＮＯ）、解析画面に表示領域２０４Ｂが表示されていれば（Ｓ９０２：ＮＯ）、表示されている等磁場線図１５０の表示情報を、指定した位置の波形情報に対応する情報に更新して表示する（Ｓ９０５）。一方、解析画面に表示領域２０４Ｂが表示されていないとき（Ｓ９０２：ＹＥＳ）、等磁場線図１５０ａを表示することなく、処理を終了する。
【０１２６】
〔第４の実施形態〕
続いて、第４の実施形態について説明する。上述した例では、波形の所定位置を選択した情報を受け付けたあとに、解析画面に表示領域２０４または等磁場線図１５０が表示か非表示かを判断するステップで説明したが、この形態に限られない。
【０１２７】
たとえば、図２８に示すように、解析画面に表示領域２０４または等磁場線図１５０が表示か非表示かが判断されたあとに（Ｓ１０００）、波形の所定位置を選択した情報を受け付けるステップであってもよい。
【０１２８】
表示領域２０４または等磁場線図１５０が表示状態である場合（Ｓ１０００：ＮＯ）、波形選択の入力情報を受け付けると（Ｓ１００７）、その受け付けた情報がマウスによるダブルクリックであれば（Ｓ１００８：ＮＯ）、図８に示すようにアノテーションの波形情報に対応する等磁場図１５０、マップエリア１６０を示す表示領域２０４Ｂと表示領域２０６Ｂ（拡大波形）を表示する（Ｓ１００４）。一方、受け付けた情報がシングルクリックであれば（Ｓ１００８：ＹＥＳ）、図７，１０に示すように表示されている等磁場図１５０の表示情報を、指定した位置の波形情報に対応する情報に更新する（Ｓ１００９）。
【０１２９】
次に、表示領域２０４または等磁場線図１５０が非表示状態である場合（Ｓ１０００：ＹＥＳ）、受け付けた波形選択の入力情報がアノテーションを含む波形位置でない場合（Ｓ１００１：ＮＯ）、表示領域２０４または等磁場線図１５０は非表示のままである。
【０１３０】
一方、受け付けた波形選択の入力情報がアノテーションを含む波形位置である場合（Ｓ１００１：ＹＥＳ）、その受け付けた情報がマウスによるダブルクリックであれば（Ｓ１００２：ＮＯ）、図８に示すようにアノテーションの波形情報に対応する等磁場図１５０、マップエリア１６０を示す表示領域２０４Ｂと表示領域２０６Ｂ（拡大波形）を表示する（Ｓ１００４）。
【０１３１】
そして、受け付けた情報がシングルクリックであれば（Ｓ１００２：ＹＥＳ）、図２２，２３等に示すように等磁場図１５０ａを表示し、アノテーションの波形情報に対応する情報を表示する（Ｓ１００３）。その後、拡大表示領域２００ａをマウスによってダブルクリックすることによる入力情報を受け付けると、拡大表示領域２００ａと等磁場図１５０ａを閉じ、図８に示すようにアノテーションの波形情報に対応する等磁場図１５０、マップエリア１６０を示す表示領域２０４Ｂと表示領域２０６Ｂ（拡大波形）を表示する（Ｓ１００６）。
【０１３２】
〔補足〕
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、上述の実施形態に示される全構成要素から幾つかの構成要素を削除してもよい。さらに、異なる実施形態および変形例にわたる構成要素を適宜組み合わせてもよい。たとえば、一例として、図２０と図２２の等磁場線図、等電位図、拡大表示領域を全て有するものとしてもよい。その際、波形領域１０１乃至１０３の時間軸方向に並べてもよいが、波形の一覧性を考慮するなら、図２９および図３０に示すように、上下方向に並べてもよい。また、図２１を図３１のように拡大波形を並置してもよい。
【０１３３】
また、図１４のステップ５０７では、等磁場線図１５０ａを表示した後に、別のアノテーション付近の波形が選択されると、表示されていた等磁場線図１５０ａを閉じる動作をしていたが、これに限られない。たとえば、マウスでクリックなどの入力情報を受け付けたら等磁場線図１５０ａを閉じる動作を行ってもよい。
【０１３４】
また、上述した各実施形態の生体信号計測システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【０１３５】
〔付記項〕
なお、上記発明は、以下に示す側面を有している。
【０１３６】
〔付記項１〕（図１４参照）
生体信号の経時的変化を示す波形を表示させる波形表示領域と、
前記生体信号の分布を示す分布表示領域と、
前記波形表示領域に表示されている波形の所定位置を選択する入力情報を受け付けると（Ｓ５００）、前記分布表示領域が非表示状態のときは当該入力情報に基づく前記分布表示領域を表示し（Ｓ５０３）、前記分布表示領域が表示状態のときは当該入力情報の受付前の前記分布表示領域の分布を当該入力情報に基づく分布に更新して表示する（Ｓ５０４）こと、
を特徴とする情報処理装置。
【０１３７】
〔付記項２〕（図７，図１４，図１５参照）
前記分布表示領域は、第１分布表示領域（１５０：図７）と第２分布表示領域（１５０ａ−７：図１５）とを有し、
前記波形表示領域に表示されている波形の所定位置における入力情報を受け付けると、前記第一表示領域が非表示状態のときは当該第１分布表示領域を非表示且つ当該入力情報に基づく前記第２分布表示領域を表示し（図１４：Ｓ５０３）、前記第１分布表示領域が表示状態のときは第２分布表示領域を非表示且つ当該入力情報の受付前の前記第１分布表示領域の分布を当該入力情報に基づく分布に更新して表示する（図１４：Ｓ５０４）こと
を特徴とする付記項１に記載の情報処理装置。
【０１３８】
〔付記項３〕（図２２参照、等磁場線図＋ＭＥＧ拡大波形）
前記第２分布表示領域を表示するときは、さらに前記所定位置における波形を拡大した拡大波形を表示する第２波形表示領域を表示することを特徴とする付記項２に記載の情報処理装置。
【０１３９】
〔付記項４〕（図２２参照、等磁場線図＋ＭＥＧスタック波形）
前記波形表示領域には、複数の波形が上下方向に並列配置して表示し、
前記第２分布表示領域を表示するときは、さらに前記所定位置における複数の波形を重ね合わせて表示する第２波形表示領域を表示すること
を特徴とする付記項２に記載の情報処理装置。
【０１４０】
〔付記項５〕(図２６参照、ポップアップ拡大波形をダブルクリックすると図８の拡大波形を表示)
前記第２波形表示領域に表示されている波形の所定位置を選択する入力情報を受け付けると（Ｓ８０１）、
前記第２分布表示領域と前記第２波形表示領域とを閉じるとともに、前記第１分布表示領域と前記所定位置における波形を拡大した拡大波形を表示する第２拡大波形表示領域を表示すること（Ｓ６０２）
を特徴とする付記項３又は４に記載の情報処理装置。
【０１４１】
〔付記項６〕（図１５、図１７参照、ポップアップ後、別波形位置を指定するとポップアップが更新）
前記第２分布表示領域を表示した後、前記波形表示領域に表示されている波形の別の位置における入力情報を受け付けると、前記第２分布表示領域の表示を更新して表示することを特徴とする付記項３又は４に記載の情報処理装置。
【０１４２】
〔請求項７〕(図１５等参照、ポップアップ画面はデフォルト画面よりも波形選択位置寄りの波形上に表示）
前記第２分布表示領域（１５０ａ−７）は、前記波形表示領域の波形上に重ねて表示するとともに、前記第１分布表示領域（１５０）の表示位置よりも選択した波形の所定位置に近い位置に表示されることを特徴とする付記項２に記載の情報処理装置。
【０１４３】
〔付記項８〕（図２４参照、ポップアップで時間スケールを変更すると等磁場線図も連動して更新される）
前記第２波形表示領域は、当該第２波形表示領域に表示される波形の所定位置を示す指示部が表示され（２１７ａ−７）、
記指示部を前記波形の時間軸方向に移動すると、これに連動して前記第２分布表示領域の表示状態が更新されて表示されること
を特徴とする付記項３又は４に記載の情報処理装置。
【０１４４】
〔付記項９〕（図２７、図２６参照、アノテーション付近とそれ以外で等磁場線図の表示を異ならせる）
前記波形表示領域には、表示される波形の指定された箇所を表示するアノテーションが表示可能であり、
前記選択された波形の位置が、前記アノテーションを含むとき（図２７：Ｓ９０１でＹＥＳ、図２８：Ｓ１００１でＹＥＳ）、前記分布表示領域が非表示状態のときは当該入力情報に基づく前記分布表示領域を表示し（Ｓ９０４、Ｓ１００３）、前記分布表示領域が表示状態のときは当該入力情報の受付前の前記分布表示領域の分布を当該入力情報に基づく分布に更新して表示し（Ｓ９０５、Ｓ１００９）、
前記選択された波形の位置が、前記アノテーションを含まないとき（図２７：Ｓ９０１でＮＯ、図２８：Ｓ１００１でＮＯ）、前記分布表示領域が非表示状態のときは当該入力情報に基づく前記分布表示領域を表示せず（Ｓ９０２でＹＥＳ、Ｓ１００１でＮＯ）、前記分布表示領域が表示状態のときは当該入力情報の受付前の前記分布表示領域の分布を当該入力情報に基づく分布に更新して表示する（Ｓ９０５、Ｓ１００９）
ことを特徴とする付記項１に記載の情報処理装置。
【０１４５】
〔付記項１０〕（アノテーション付近をシングルクリックならポップアップ、ダブルクリックなら図８を表示）
前記波形表示領域には、表示される波形の指定された箇所を表示するアノテーションが表示可能であり、
前記分布表示領域が非表示状態のとき、
受け付けた前記入力情報が前記アノテーションを含む波形の位置を選択する第１の入力情報であれば（図２５：Ｓ７００でＹＥＳ、図２８：Ｓ１００２でＹＥＳ）、前記第２分布表示領域を表示し（Ｓ７０３、Ｓ１００３）、
受け付ける前記入力情報が前記アノテーションを含む波形の位置を選択する第２の入力情報であれば（図２５：Ｓ７００でＮＯ、図２８：Ｓ１００２でＮＯ、前記選択した波形を拡大した拡大波形の表示領域を含む前記第１分布表示領域を表示すること（Ｓ７０７、Ｓ１００４）
を特徴とする付記項２に記載の情報処理装置。
【符号の説明】
【０１４６】
１  生体信号計測システム
３  測定装置
２１  ＣＰＵ
２２  ＲＡＭ
２３  ＲＯＭ
２４  補助記憶装置
２５  入出力インタフェース
２７  バス
２８  表示装置
４０  サーバ
５０  情報処理装置
１５０  等磁場線図（第１分布表示領域の一例）
１５０ａ−７  等磁場線図（第２分布表示領域の一例）
２５０  制御部
２５１  表示制御部
２５２  解析部
２５３  センサ情報取得部
２５４  収録／解析情報保存部
２５５  アノテーション入力部
２５９  判断部
【先行技術文献】
【特許文献】
【０１４７】
【特許文献１】特開２００９−１１８９１０号公報
【図１】
2019118541.tif 000003
【図２】
2019118541.tif 000004
【図３】
2019118541.tif 000005
【図４】
2019118541.tif 000006
【図５】
2019118541.tif 000007
【図６】
2019118541.tif 000008
【図７】
2019118541.tif 000009
【図８】
2019118541.tif 000010
【図９】
2019118541.tif 000011
【図１０】
2019118541.tif 000012
【図１１】
2019118541.tif 000013
【図１２】
2019118541.tif 000014
【図１３】
2019118541.tif 000015
【図１４】
2019118541.tif 000016
【図１５】
2019118541.tif 000017
【図１６】
2019118541.tif 000018
【図１７】
2019118541.tif 000019
【図１８】
2019118541.tif 000020
【図１９】
2019118541.tif 000021
【図２０】
2019118541.tif 000022
【図２１】
2019118541.tif 000023
【図２２】
2019118541.tif 000024
【図２３】
2019118541.tif 000025
【図２４】
2019118541.tif 000026
【図２５】
2019118541.tif 000027
【図２６】
2019118541.tif 000028
【図２７】
2019118541.tif 000029
【図２８】
2019118541.tif 000030
【図２９】
2019118541.tif 000031
【図３０】
2019118541.tif 000032
【図３１】
2019118541.tif 000033